(57)【要約】      （修正有）【課題】炭酸入浴錠剤の溶解速度を最適化し、錠剤を長持ちさせ、錠剤の交換頻度を減少させることで、ランニングコストも抑えることができると共に、一般に流通しているシャワー機器に取り付けることができ、錠剤を簡単かつ容易に短時間で交換・装填することができる構成の炭酸ガスマイクロバブル発生器を提供する。【解決手段】湯水の送水経路に設けられ、炭酸ガスマイクロバブル混合水を吐出する炭酸ガスマイクロバブル発生器１であり、シャワー機器とホースとの間に配設され、開閉機構を有し、炭酸入浴錠剤を収容するための炭酸入浴錠剤収容部１１が設けられ、更に、少なくとも湯水の導入口側又は吐出口側のいずれか一方又は両方に、炭酸入浴錠剤に直接当たる水量を調整するための通水制限板１３Ａ，１３Ｂが設けられた構成である。【選択図】図１
0003190347.tif 000002
【実用新案登録請求の範囲】
【請求項１】
湯水の送水経路に設けられ、炭酸ガスマイクロバブル混合水を吐出する炭酸ガスマイクロバブル発生器であって、
シャワー機器とホースとの間に配設され、
開閉機構を有し、炭酸入浴錠剤を収容するための炭酸入浴錠剤収容部が設けられた構成であることを特徴とする炭酸ガスマイクロバブル発生器。
【請求項２】
開閉機構が、シャワー機器からなる固定基準体を基準として、３６０度以内の回動によって開閉可能な構成であり、これにより、炭酸入浴錠剤の交換が可能な構成であることを特徴とする請求項１に記載の炭酸ガスマイクロバブル発生器。
【請求項３】
少なくとも湯水の導入口側又は吐出口側のいずれか一方又は両方に、炭酸入浴錠剤に直接当たる水量を調整するための通水制限板が設けられた構成であることを特徴とする請求項１又は２に記載の炭酸ガスマイクロバブル発生器。
【請求項４】
炭酸入浴錠剤収容部の少なくとも一部が、透明性を有する材料で形成され、収容された炭酸入浴錠剤を外部から目視可能な構成であることを特徴とする請求項１〜３のいずれかに記載の炭酸ガスマイクロバブル発生器。
【請求項５】
通水制限板の少なくとも一部が、取り外し可能な構成であることを特徴とする請求項３又は４に記載の炭酸ガスマイクロバブル発生器。
【請求項６】
炭酸入浴錠剤の厚みが、その直径よりも薄肉であって、
炭酸入浴錠剤収容部への炭酸入浴錠剤の収容方向が、炭酸入浴錠剤の直径方向が炭酸ガスマイクロバブル発生器内の通水方向と同方向となる構成であることを特徴とする請求項１〜５のいずれかに記載の炭酸ガスマイクロバブル発生器。
【請求項７】
通水制限板が、開孔板又は網状体によって形成された構成であることを特徴とする請求項３〜６のいずれかに記載の炭酸ガスマイクロバブル発生器。
【請求項８】
炭酸入浴錠剤収容部が、一対の壁状体又は棒状体からなる錠剤支持部を有する構成であることを特徴とする請求項１〜７のいずれかに記載の炭酸ガスマイクロバブル発生器。
【請求項９】
湯水の導入口側及び吐出口側の両方に、通水制限板が設けられ、
吐出口側に設けられた通水制限板に、通水方向に沿って相対向して形成された一対の壁状体からなる錠剤支持部が設けられ、この一対の壁状体内に炭酸入浴錠剤が配置される構成であり、
導入口側に設けられた通水制限板は、前記一対の壁状体の内側を通過する湯水を通す通水孔が設けられると共に、前記一対の壁状体の外側を通過する湯水を通す外側通水孔が設けられた開孔板によって形成された構成であることを特徴とする請求項３〜８のいずれかに記載の炭酸ガスマイクロバブル発生器。
【請求項１０】
収容される炭酸入浴錠剤が、重炭酸塩、有機酸及びポリエチレングリコールの存在下で圧縮成形されて得られた錠剤硬度が１５ｋｇｆ以上又は１５ＨＶ以上であり、かつ、錠剤を湯水に溶かした直後のＰＨが５．５から８．５の範囲となり、錠剤の直径が１５ｍｍ以上であることを特徴とする請求項１〜９のいずれかに記載の炭酸ガスマイクロバブル発生器。
【考案の詳細な説明】
【技術分野】
【０００１】
本考案は、シャワー機器等に取り付けて使用され、血行促進などの炭酸泉入浴効果を著しく向上させると共に、マイクロバブル効果を併せ持つ炭酸ガスマイクロバブル混合水を簡易に得られる炭酸ガスマイクロバブル発生器に関する。
【背景技術】
【０００２】
重炭酸塩（炭酸水素ナトリウム又は炭酸水素カリウム）と、有機酸とを含む混合物を打錠等によって成型し、発泡性組成物（固形物）とすることは、洗浄剤、入浴剤、風呂水清浄剤、プール用殺菌剤等の製品に適用されている。これらの製品（固形物）は、水に投入すると、その成分が反応して炭酸ガスを発生しつつ速やかに溶解する利点を有すると同時に、消費者に快適な使用感を与えるので商品価値を高める効果があり、特に浴剤（入浴剤ということもある。）においては、発生する炭酸ガスの血行促進効果が積極的に利用されている。
【０００３】
一方、マイクロバブルと称される、例えば直径０．０５ｍｍ以下の微細気泡は、濁水や排水の浄化処理、生活用水の殺菌等に広く利用されており、例えば、水浄化処理施設などの濁水処理槽中でマイクロバブルを発生した場合には濁水中に浮遊している汚濁物に気泡を付着させて浮上分離させることができ、湖沼や養殖池等の閉鎖水域でマイクロバブルを発生させた場合には水中への酸素の溶解を促すことができる等の効果を有するものである。
【０００４】
従来、このマイクロバブルを利用したマイクロバブルシャワーとして、旋回流を利用した水道水圧使用型のものが知られている（特許文献１参照）。
【０００５】
また、炭酸ガス発生成分を湯水に溶解させる技術と、マイクロバブルを発生させて液体中の浄化殺菌を行う技術とを組み合わせたものも知られている（例えば、特許文献２参照）。
【０００６】
特許文献１の技術は、各種入浴剤の如き炭酸ガス発生体を気体発生体として気液混合装置内に配設し、更に該気液混合装置の吐出口側をシャワーヘッドに接続する構成により、入浴成分とマイクロバブルとを混合した湯水をシャワーヘッドから吐出させ、このことによって、洗浄効果と血行促進等の健康増進効果をも期待できる技術である。
一方、炭酸ガス入浴錠剤をシャワーヘッド内の吐出口付近に収容した技術も知られている（特許文献３〜５参照）。
【先行技術文献】
【特許文献】
【０００７】
【特許文献１】特開２００８−２２９５１６号公報
【特許文献２】特開２０１１−１９４３９０号公報
【特許文献３】特許第４１７７６６０号
【特許文献４】実用新案登録第３１８３６３０号
【特許文献５】実用新案登録第３０６６５６１号
【考案の概要】
【考案が解決しようとする課題】
【０００８】
しかし、上記背景技術に挙げた公知技術に係るシャワー機器では、炭酸ガスによる洗浄効果と血行促進等の健康増進効果が十分に発揮されないという問題があった。
また、上記背景技術に挙げた公知技術では、入浴錠剤が強い水流に曝され、急速に、短時間で溶解してしまい、重炭酸イオンの身体への接触時間が短くなり、身体を温める十分な効果が得られ難い不都合があるだけではなく、前半に高い濃度の重炭酸シャワーを浴びてしまい、後半は錠剤が溶けてなくなり、水だけの淡水シャワーとなってしまうため、シャワーを浴びる１回のバスタイム内で、新たな錠剤に交換しなければならず、洗剤やシャンプー剤等で手が滑る中で、シャワーヘッドの開放部を開けての交換作業は煩雑で行い難いという問題点があることを見出した。
【０００９】
以上のことから、本考案の第１の課題は、錠剤を溶解することによって発生する炭酸ガスによる血行促進等の健康増進効果を高め、適度な濃度の重炭酸シャワーを長時間享受できる効果を発揮することができる構成の炭酸ガスマイクロバブル発生器を提供すること、であり、第２の課題は、炭酸入浴錠剤の溶解速度を最適化し、該錠剤を長持ちさせ、該錠剤の交換頻度を減少させることで、ランニングコストも抑えることができると共に、一般に流通しているシャワー機器に取り付けることができ、該錠剤を簡単かつ容易に短時間で交換・装填することができる構成の炭酸ガスマイクロバブル発生器を提供することにある。
【課題を解決するための手段】
【００１０】
上記課題を解決する本考案は、下記構成を有する。
【００１１】
１．湯水の送水経路に設けられ、炭酸ガスマイクロバブル混合水を吐出する炭酸ガスマイクロバブル発生器であって、
シャワー機器とホースとの間に配設され、
開閉機構を有し、炭酸入浴錠剤を収容するための炭酸入浴錠剤収容部が設けられた構成であることを特徴とする炭酸ガスマイクロバブル発生器。
【００１２】
２．開閉機構が、シャワー機器からなる固定基準体を基準として、３６０度以内の回動によって開閉可能な構成であり、これにより、炭酸入浴錠剤の交換が可能な構成であることを特徴とする前記１に記載の炭酸ガスマイクロバブル発生器。
【００１３】
３．少なくとも湯水の導入口側又は吐出口側のいずれか一方又は両方に、炭酸入浴錠剤に直接当たる水量を調整するための通水制限板が設けられた構成であることを特徴とする前記１又は２に記載の炭酸ガスマイクロバブル発生器。
【００１４】
４．炭酸入浴錠剤収容部の少なくとも一部が、透明性を有する材料で形成され、収容された炭酸入浴錠剤を外部から目視可能な構成であることを特徴とする１〜３のいずれかに記載の炭酸ガスマイクロバブル発生器。
【００１５】
５．通水制限板の少なくとも一部が、取り外し可能な構成であることを特徴とする３又は４に記載の炭酸ガスマイクロバブル発生器。
【００１６】
６．炭酸入浴錠剤の厚みが、その直径よりも薄肉であって、
炭酸入浴錠剤収容部への炭酸入浴錠剤の収容方向が、炭酸入浴錠剤の直径方向が炭酸ガスマイクロバブル発生器内の通水方向と同方向となる構成であることを特徴とする１〜５のいずれかに記載の炭酸ガスマイクロバブル発生器。
【００１７】
７．通水制限板が、開孔板又は網状体によって形成された構成であることを特徴とする３〜６のいずれかに記載の炭酸ガスマイクロバブル発生器。
【００１８】
８．炭酸入浴錠剤収容部が、一対の壁状体又は棒状体からなる錠剤支持部を有する構成で
あることを特徴とする１〜７のいずれかに記載の炭酸ガスマイクロバブル発生器。
【００１９】
９．湯水の導入口側及び吐出口側の両方に、通水制限板が設けられ、
吐出口側に設けられた通水制限板に、通水方向に沿って相対向して形成された一対の壁状体からなる錠剤支持部が設けられ、この一対の壁状体内に炭酸入浴錠剤が配置される構成であり、
導入口側に設けられた通水制限板は、前記一対の壁状体の内側を通過する湯水を通す通水孔が設けられると共に、前記一対の壁状体の外側を通過する湯水を通す外側通水孔が設けられた開孔板によって形成された構成であることを特徴とする３〜８のいずれかに記載の炭酸ガスマイクロバブル発生器。
【００２０】
１０．収容される炭酸入浴錠剤が、重炭酸塩、有機酸及びポリエチレングリコールの存在下で圧縮成形されて得られた錠剤硬度が１５ｋｇｆ以上又は１５ＨＶ以上であり、かつ、錠剤を湯水に溶かした直後のＰＨが５．５から８．５の範囲となり、錠剤の直径が１５ｍｍ以上であることを特徴とする前記１〜９のいずれかに記載の炭酸ガスマイクロバブル発生器。
【００２１】
本考案の好ましい実施態様は、次の通りである。
（１）炭酸入浴錠剤が、重炭酸塩（炭酸水素ナトリウム又は炭酸水素カリウム）に対し１／１０から１／３の有機酸及び１／１００から１／５のポリエチレングリコールの存在下に圧縮成型した錠剤において、錠剤を溶解した直後の水溶液のＰＨが５．５から８．５であり、錠剤の硬度が１５ｋｇｆ以上又は１５ＨＶ以上の錠剤であることを特徴とする前記１〜９のいずれかに記載の炭酸ガスマイクロバブル発生器。
【００２２】
（２）炭酸入浴錠剤が、重炭酸塩の１／１００から１／１０の範囲で下記無水物を含有する錠剤であることを特徴とする前記１〜９のいずれかに記載の炭酸ガスマイクロバブル発生器。
無水物：無水炭酸ナトリウム、無水炭酸カリウム
【００２３】
（３）炭酸入浴錠剤が、ｎ−（ノルマル）オクタンスルフォン酸ナトリウムやテトラデセンスルフォン酸ナトリウム、ラウロイルサルコシン酸ナトリウム、ミリストイルメチルアラニンナトリウムから選ばれる１種を含有する錠剤であることを特徴とする前記１〜９のいずれかに記載の炭酸ガスマイクロバブル発生器。
【００２４】
（４）炭酸入浴錠剤が、着色成分及び／又は芳香成分を含有する構成であることを特徴とする前記１〜９のいずれかに記載の炭酸ガスマイクロバブル発生器。
【考案の効果】
【００２５】
前記１に示す考案によれば、炭酸ガスマイクロバブル発生器を、シャワー機器とホースとの間に配設することによって、炭酸ガスマイクロバブル発生器に収容された炭酸入浴錠剤が湯水によって溶解され、これにより発生した炭酸ガスは、接続されたシャワー機器内で湯水に曝される時間が得られるので、適度な中和時間を得ることができ、重炭酸イオンへ変化するための時間も得ることができ、重炭酸イオンによる血行促進等の健康増進効果を得ることができる。
また、シャワー機器を通過する時間を要することによって、重炭酸イオンによって湯水のカルキが除去された後、シャワー吐出されるまでの時間を得ることができるため、経皮毒を減少させることにより、健康増進効果をより一層得ることができる。
以上のことから、前記１に示す考案によれば、本考案の第１の課題である「錠剤を溶解することによって発生する炭酸ガスによる血行促進等の健康増進効果を高め、適度な濃度の重炭酸シャワーを長時間享受できる効果を発揮する」という課題を解決することができ
る。
【００２６】
前記２に示す考案によれば、炭酸入浴錠剤収容部への錠剤の交換について、開閉機構の開閉操作が、シャワー機器からなる固定基準体を基準として３６０度以内の回転というワンタッチ操作で可能であり、該錠剤を簡単かつ容易に短時間で交換・装填することができる。これにより、シャワーの開始時は、湯の温度が低温であるため、適温に温まるまでの間は真水（錠剤を取り外した状態でのシャワー吐出）を吐出し、錠剤の無駄使いを防ぐことができる。また、例えば、最初のシャワーで一次汚れの洗浄を真水（錠剤を取り外した状態でのシャワー吐出）で行い、一次汚れが取れ、全身エステのようなシャワーを楽しみたいと意図した時点で、炭酸ガスマイクロバブル混合水によるシャワーを浴びるため、ワンタッチ操作で錠剤を収容・装填することができる。
【００２７】
前記３に示す考案によれば、炭酸ガスマイクロバブル発生器の導入口側又は吐出口側のいずれか一方又は両方に、通水制限板が設けられたことで、炭酸入浴錠剤に直接当たる水量を調整することができるため、最適な錠剤濃度の混合水を吐出することができる。これにより、マイクロバブル効果により発生した炭酸ガスが、接続されたシャワー機器内で中和され、より最適なスピードで重炭酸イオンに変化しながら使用者の身体全体に接触し、皮膚から血管に吸収される効率を高めることができる。もし、錠剤に直接当たる水量が多過ぎる場合には、発生した炭酸ガスが中和され、重炭酸イオンに変化することができず、炭酸ガスのままシャワー吐出され濃度が上がってしまい、十分な温浴効果が得られないばかりか、錠剤の無駄になってしまうので、この点を解消することができる。即ち、本考案では、吐出量を維持しつつ、湯水と錠剤の接触水量のみを調整し、該錠剤の溶解速度を緩慢にさせることで、該錠剤の溶解時間を延ばし、交換頻度を減少させることができ、ランニングコストも抑えることができるという顕著な効果を発揮することができる。
【００２８】
また、炭酸ガスマイクロバブル発生器に開閉機構を備える構成であるため、収容される炭酸入浴錠剤を、簡単かつ容易に短時間で交換・装填することができる。
更にまた、シャワー機器とホースとの間に配設される構成であるため、一般に流通しているシャワー機器に取り付けることができ、既存のシャワー設備に改造等を加えることなく使用することができる。
【００２９】
前記４に示す考案によれば、炭酸入浴錠剤収容部が、透明性を有する材料で形成されることにより、収容された炭酸入浴錠剤を外部から目視することが可能であるため、該錠剤の溶解状況や、該収容部を通過する水量を視認することができる。
【００３０】
前記５に示す考案によれば、錠剤の溶解を制限していた通水制限板を取り外して使用することができ、短時間で錠剤が溶解し終えるように使用することもできる。
このように使用することで、炭酸濃度を十分に高め、高濃度のシャワーを浴びることができ、炭酸による肌のツルツル、スベスベ感を十分に味わうことができる。錠剤は短時間で溶解してしまうが、新たな錠剤を装填することで長時間のシャワー使用が可能であり、贅沢な使用が可能となる。
【００３１】
また、、十分なシャワー時間を取れない時間的な制約がある入浴の場合など、通水制限板を取り外して使用することによって、炭酸入浴錠剤を短時間で溶解させ、一度のシャワーで使い切ってしまうことができる。このように使用することで、錠剤が炭酸ガスマイクロバブル発生器の中に残り、この錠剤が固まることによって、炭酸ガスマイクロバブル発生器の故障の原因になるといった不具合を防ぐこともできる。
【００３２】
前記６に示す考案によれば、厚みが直径より薄肉の炭酸入浴錠剤が、炭酸入浴錠剤の直径方向が通水方向と同方向に、該錠剤が炭酸入浴錠剤収容部に収容されることで、湯水が
該錠剤に当たる面積を減少し、吐出される水量を減少させずに該錠剤の溶解時間を緩慢にさせることができる。即ち、該錠剤に湯水が直接当たる面積が最小化できるので、通水量を維持したまま、該錠剤の湯水への接触を大幅に減少させて、溶解時間を大きく制限することができ、吐出される水量を落とさずに、該錠剤を長持ちさせることができる。従来から知られているシャワーヘッド内に錠剤が収容される構成では、湯水が、錠剤の平面に直接当たるように収容されているので、吐出される水量を増やすと、錠剤の溶解時間も速まってしまい、快適な吐出の水量と、錠剤の溶解時間を長くすることを両立させることができなかった。
【００３３】
尚、炭酸ガスマイクロバブル混合水のシャワーによる健康効果を得るために必要な時間は、６分から８分であり、平均的なシャワー時間もこの時間内である。１回の錠剤装填で５分から８分の範囲で錠剤が溶解するように設計しても、心地よい水量を得るためには、錠剤の周面に水流が当たり、接触面積を小さく止めることができる本考案を使用したシャワー機器が好ましいことがわかる。
この場合、炭酸マイクロバブル混合水を吐出した場合であっても、血行促進等の健康増進効果を得ることができ、該錠剤を長持ちさせ、該錠剤の交換頻度を減少させることで、健康効果を高めながらランニングコストを抑えることもできる。
【００３４】
前記７に示す考案によれば、通水制限板を開孔板又は網状体によって形成することで、錠剤に直接当たる水量を簡単な構造で制限し、最適な溶解時間を調整することができる。また、必要に応じて、通過可能な水量が異なる通水制限板（例えば、開口の大きさや数を変えて、開孔率を大・小変化させたものであって、通過可能な水量が異なるもの。）に変更すれば、錠剤の溶解速度を調整することができる。開孔板又は網状体は、簡単な構造であるため、通過可能な水量の調整が容易にできる他、メンテナンス性がよく、製造コストを抑えることもできる。
【００３５】
前記８に示す考案によれば、炭酸入浴錠剤収容部が、一対の壁状体又は棒状体によって形成された錠剤支持部を備えることによって、炭酸入浴錠剤を所定の方向に確実に固定することができ、水流を乱すこともなく、簡単な構造で前記５における効果を確実に得ることができる。
【００３６】
前記９に示す考案によれば、炭酸ガスマイクロバブル発生器の導入口側及び吐出口側の両方に、通水制限板が設けられたことにより、この両通水制限板に炭酸入浴錠剤が挟まれて収容される態様となり、該錠剤を炭酸入浴錠剤収容部に止まらせることができる。
また、吐出口側に設けられた通水制限板に、通水方向に沿って相対向して形成された一対の壁状体からなる錠剤支持部が設けられたことにより、炭酸入浴錠剤を所定の方向に支持しつつ、吐出口側に流出することを防ぐこともできる。更に、炭酸入浴錠剤が、この一対の壁状体に挟持される構成により、該錠剤の側面が壁状体に接することで湯水による水流に曝されず、該錠剤の湯水との接触面積を狭くすることができ、錠剤の溶解をより緩慢にすることができる。
【００３７】
また、導入口側に設けられた通水制限板に、一対の壁状体の内側を通過する湯水を通す通水孔が設けられ、前記一対の壁状体の外側を通過する湯水を通す外側通水孔（開孔が大きいか又は多数個の通水孔が好ましい。）が設けられたことにより、前記通水孔を通過した湯水が、一対の壁状体の内側に収容される錠剤に接し、他方、前記外側通水孔を通過した湯水は、一対の壁状体の外側を通過して錠剤には触れないので、錠剤に接する水量を制限しつつ、炭酸ガスマイクロバブル発生器全体を通過可能な水量を維持することができる。
【００３８】
前記１０に示す考案によれば、炭酸ガスマイクロバブル混合水を吐出した場合も、持続
時間を長くでき、効率よく炭酸成分を経皮させ、血行促進等の健康増進効果を期待することができるという効果を発揮する。
【００３９】
特に、従来知られている炭酸水素ナトリウムと有機酸からなる入浴剤であっても、本考案の如く、直径が１５ｍｍ以上で、湯水に溶解した場合のＰＨが５．５から８．５である炭酸入浴錠剤とし、これを用いたことにより、炭酸ガスマイクロバブル混合水と身体との接触によって、重炭酸イオンが効率よく血管に吸収され、血行促進等の健康増進効果の向上を手軽に図ることができる。
なお、本考案の炭酸入浴錠剤を用いた場合の炭酸ガスマイクロバブル混合水によれば、水道水のカルキ臭を著しく抑制乃至は消滅させることが可能である。
【００４０】
前記１０に示す本考案の作用効果、即ち、使用する炭酸入浴錠剤を限定したことによる作用効果について、以下に詳述する。
従来、重炭酸塩と有機酸とを組合わせて錠剤化すると、湯水に溶かした場合、溶解しながら激しく中和反応が起き、大きな径の炭酸ガスの泡が発生し、かつ泡が合併し大きくなり、炭酸ガスは、速やかに空気中に逃げて出てしまい、湯水に溶解する炭酸ガス濃度が著しく低いという欠点があった。
【００４１】
炭酸ガスは本来、湯水に溶け難い性質のものであり、温度が上がるとさらに溶解度が低下し、湯水中の炭酸ガス濃度は、限りなく低くなりシャワーでは水の厚みがないため炭酸ガスは直ちに空気中に逃げてしまうきらいがあり、シャワーで高い濃度の炭酸水を作ることはできなかった。
【００４２】
そのためシャワー湯水中の炭酸ガス濃度は極めて低く、経皮吸収で血管に溶ける炭酸は少なく、体が温まる等の入浴効果が全く得られないという問題が起こってしまっていたことを考案者らは突き止めた。
【００４３】
自然の炭酸泉は炭酸ガス濃度が１０００ｐｐｍ以上であることが条件ともいわれているが、これは地下の高圧下で、炭酸ガスが高濃度に溶解したものであり、弱酸性であることが多いとされる。しかし、本考案者らの研究では、自然炭酸泉の弱酸性はＰＨ値が弱酸性を示しているだけで、酸性成分によるものではなく、わずかな酸性物質が溶解しているだけで、力価はなく、わずかな中性物質やアルカリ物質に触れるだけで容易に中和されてしまうようなごく弱い弱酸性である場合が多いことを突き止めた。
【００４４】
一般には、自然炭酸泉が弱酸性ということに加え、炭酸ガス濃度は１０００ｐｐｍ以上を炭酸泉と呼ぶという通説に惑わされ炭酸ガス濃度さえ高ければよいと考え、入浴剤を酸性で激しく中和反応を起こさせ、肌に泡が付くようにしたのが一般的であったが、浴剤が酸性では炭酸ガスは限りなくガスとして液外に揮散してしまう性質があり、泡の径も大きく、水の厚みがないシャワーでは瞬時に空気中にガスは出てしまい、湯中の炭酸ガスはほとんどなく体の温まり効果も得られないことが分かった。
【００４５】
本考案者らは、それ故にシャワー湯水中への炭酸ガスの発生は湯水中に炭酸ガスが容易に溶解しやすいミクロサイズで持続的に発生させ、溶解後のＰＨを中性として、炭酸成分を空気中に逃がさず、十分な炭酸成分の濃度を継続的にシャワー湯中に溶存せしめ、かつこの炭酸ガスを溶解したシャワー水が肌を伝わる間の瞬時にかつ容易に皮膚から血管中に吸収させられるような重炭酸イオンへの変換を起こさせる反応をさせなければならないし、炭酸ガスが皮膚から血管に吸収されるには、浴剤が限りなく体液のＰＨ値に近い中性でなければならないことも突き止めた。
【００４６】
即ち、本考案者らが自然炭酸泉の効果を詳しく検討した結果、自然炭酸泉では泉水が弱
酸性であっても、酸性成分によるものではなく、わずかなマイナスイオンの解離による、力価のない弱酸性（有機酸過剰ではない酸性。）であり、皮膚や毛髪など体液に触れただけで炭酸ガスが中和され重炭酸イオンとして中性の血液中に吸収されるのであって、炭酸ガスが直接経皮吸収されるということはなく、従来の炭酸ガスが直接経皮吸収され、あたかも血液中で炭酸ガスが溶けているように説明されているのは間違いであることを突き止めただけではなく、この誤った説明のため、市販の入浴剤はＰＨ値だけ自然炭酸泉の値を真似して有機酸を過剰に入れ炭酸ガスを発泡させやすい弱酸性にしても、発泡だけしても泡の径は大きく、酸性のため泡はすぐに空気中に逃げてしまい、肌に触れても体液で中和することができず、結果として重炭酸イオンにはなれないため、経皮吸収されて血管中に溶解することができなかったことを突き止めた。
【００４７】
一般に、炭酸泉の効果の説明で、炭酸ガスが直接皮膚から経皮吸収されると記述されているが、これは全くの誤りであり、「炭酸ガスが直接経皮吸収され血管中に溶解するのであれば、なぜ空気中の炭酸ガスは経皮吸収されないのか」という矛盾にぶつかり、炭酸ガスを充満させた部屋での実験でも空気中では経皮吸収されないことが立証されている。
【００４８】
血液や皮膚表面の体液のほとんどは中性で、ＰＨ７．２から７．４程度である。体液が中性だとすれば、炭酸成分は化学的には重炭酸イオンとしてしか存在せず血管に経皮吸収される成分は重炭酸イオンであり、血液中の溶解状態も重炭酸イオンでしかないはずである。
【００４９】
本考案の好ましい実施態様によれば、一定硬度以上の錠剤中で反応させ、十分細かいミクロサイズの炭酸ガスの発泡を得て、再び溶解後のＰＨが中性の錠剤外の液の体液と同じ中性の状態で重炭酸イオンに戻されることで、この炭酸ガスを経由した重炭酸イオンのみがごく短いシャワーという皮膚接触時間に経皮吸収される。即ち、一定サイズで一定値以上の高硬度の錠剤の内部での発泡反応がマイクロバブルの炭酸ガスを発生させる意味で重要であり、溶解後のシャワー水のＰＨが発生した炭酸ガスを重炭酸イオンに変え、容易に経皮吸収によって血管中に溶解し、血行を高め、体を温めるなどの自然炭酸泉に近い効果を発揮するものと推定している。
【００５０】
ＰＨの規定は、錠剤の溶解が０．０５％から０．５％程度の濃度でのＰＨとして測定するのがシャワー水の実態に合わせ妥当である。
このＰＨ測定は溶解直後のＰＨであることが好ましく、ＰＨが中性であっても湯水中の重炭酸イオンは炭酸ガスを揮散させ、徐々に上昇し、たとえば溶解直後の水のＰＨが７．０であっても２４時間後には７．５程度となり、エアを入れて発泡させれば、炭酸ガスが揮発し、ＰＨは８．５を超えてしまうこともある。それゆえに本考案におけるＰＨの規定は、炭酸入浴錠剤の湯水中への溶解直後とする。
【００５１】
本考案の好ましい実施態様の効果について、更に詳述する。
前記（１）及び（２）に示す好ましい本考案によれば、効率よく長時間一定径以下のミクロサイズの炭酸ガス泡をゆっくり発生させ続けられるようになり、湯水に溶解する炭酸ガスを重炭酸イオンとして高濃度に溶解させることができる。
【００５２】
特に、従来から知られている炭酸水素ナトリウムと有機酸からなる市販の炭酸入浴錠剤であっても、本考案の如く、直径が１５ｍｍ以上で、湯水に溶解した場合のＰＨが５．５から８．５とすれば、炭酸ガスマイクロバブル混合水で発生した炭酸ガスの気泡を極めて細かいマイクロサイズとすることができ、炭酸マイクロガスが身体と接触するまでに十分中和されて重炭酸イオンに変化し、ＰＨが７．４５である中性の血管にそのまま効率よく吸収され、血行促進等の健康増進効果を手軽に得ることができる。
【００５３】
尚、より好ましいマイクロサイズの炭酸ガスを発生されるためには、錠剤の硬度を１５ｋｇｆ又は１５ＨＶ以上とすることが好ましく、これにより、血行促進効果がより高まり、体温上昇効果も得られることがわかった。尚また、本考案により得られた炭酸ガスマイクロバブル混合水によれば、水道水のカルキ臭を著しく抑制乃至は消滅させることが可能である。
【００５４】
前記（３）に示す好ましい本考案によれば、シャワー湯水を白濁させることなく、透明のシャワー湯水を維持できる。
【００５５】
前記（４）に示す好ましい本考案によれば、吐出される湯水が着色されるか、及び／又は芳香を放っているかによって、炭酸入浴錠剤が溶解していることがわかり、湯水が無着色になるか、無香になることによって、炭酸入浴錠剤が全て溶解して無くなったことを五感によって把握することができる。従って、新規の炭酸入浴錠剤の効用時間が容易にわかるだけでなく、湯水の着色及び／又は芳香によって、炭酸ガス成分が湯水に混合している状態であることを五感によって認識することができる。
【図面の簡単な説明】
【００５６】
【図１】本考案に係る炭酸ガスマイクロバブル発生器の一実施例を示す分解斜視図
【図２】炭酸入浴錠剤収容部における錠剤支持部の第１構成例を示す概略構成図
【図３】炭酸入浴錠剤収容部における錠剤支持部の第２構成例を示す概略構成図
【図４】炭酸入浴錠剤収容部における錠剤支持部の第３構成例を示す概略構成図
【図５】実施例における導入口側通水制限板を示す概略平面図
【図６】実施例における吐出口側通水制限板及び錠剤支持部を示す概略平面図及び概略側面図
【図７】実施例における錠剤収容部と接続部との係合手段を説明する図
【考案を実施するための形態】
【００５７】
以下、本考案に係る炭酸ガスマイクロバブル発生器について、添付する図面に基づき説明する。
【００５８】
本考案は、炭酸泉入浴効果とマイクロバブル効果を併せ持つ炭酸ガスマイクロバブル混合水を簡易に得ることができる炭酸ガスマイクロバブル発生器についての技術であり、この炭酸ガスマイクロバブル発生器をシャワー機器に取り付け、炭酸ガス成分とマイクロバブルとを混合した湯水をシャワー吐出させることによって、洗浄効果と血行促進等の健康増進効果をも期待できる技術である。
【００５９】
本考案において、「湯水」とは、いわゆる水、若しくは加温乃至は加熱してある湯又はこの両者の混合物をいう。また、「マイクロバブル」とは、いわゆる微細気泡と称されるものをいう。なお、本考案において、「量」は特に断りのない限り「質量」を表し、「％」は特に断りのない限り「質量％」を表し、「部」は特に断りのない限り「質量部」を表す。
【００６０】
本考案に係る炭酸ガスマイクロバブル発生器（以下、単に「マイクロバブル発生器」ともいう。）１の一実施例を示す分解斜視図を、図１に示す。
マイクロバブル発生器１は、炭酸入浴錠剤Ｔが収容され、シャワー機器２とホース３との間に配設される。マイクロバブル発生器１には、ホース３から湯水が供給され、シャワー機器２から炭酸ガスマイクロバブル混合水を吐出することができる。
【００６１】
マイクロバブル発生器１は、シャワー機器２とホース３との間に配設され、ホース３からシャワー機器２に及ぶ通水路、即ち、湯水の送水経路に設けられる。これにより、該通
水路内を通る湯水によって、マイクロバブル発生器１に収容される炭酸入浴錠剤Ｔを溶解し、この溶解によって発生した炭酸ガスが、湯水中においてマイクロバブル（微細気泡）となって、該湯水と混合して炭酸ガスマイクロバブル混合水となる。
【００６２】
一般的なシャワー機器は、蛇口との間をホースでつないで使用されるが、このホースとは螺合や嵌合等の手段で結合されており、取り外しが可能である。従って、この一般的な構成のシャワー機器であれば、ホースを取り外し、マイクロバブル発生器１を取り付けることが可能である。
尚、シャワー機器２が浴室の壁面等に直接取り付けられている場合があるが、この場合は、シャワー機器２と壁面との間にマイクロバブル発生器１を取り付ければよい。
【００６３】
マイクロバブル発生器１に収容される炭酸入浴錠剤Ｔは、直径１５ｍｍ以上であって、厚みが直径より薄肉の錠剤であることが好ましい。この炭酸入浴錠剤Ｔについては、後に詳述する。
【００６４】
次に、マイクロバブル発生器１への炭酸入浴錠剤Ｔの収容構成について説明する。
マイクロバブル発生器１には、炭酸入浴錠剤収容部（以下、単に「錠剤収容部」ともいう。）１１が設けられる。この錠剤収容部１１には、炭酸入浴錠剤Ｔが収容され、炭酸入浴錠剤Ｔの直径方向が、通水方向Ｗと同方向ないし略平行になるように収容される。この炭酸入浴錠剤Ｔが収容される方向を、「縦収容方向」という。前述のとおり、炭酸入浴錠剤Ｔは厚みが直径より薄肉の形状であることが好ましく、この炭酸入浴錠剤Ｔが、前記縦収容方向に収容されることで、強い水流に直接曝される表面積を小さく止めることができ、これにより溶解速度が減じられる。このように、溶解速度が減じられ最適化されることによって、炭酸入浴錠剤Ｔは長時間に亘ってマイクロバブルの発生を継続する。
【００６５】
尚、錠剤収容部１１は、実施例の記載や図面では１つの炭酸入浴錠剤Ｔを収容する構成であるが、２以上の炭酸入浴錠剤Ｔを収容可能な構成を採用してもよい。この場合、２以上の炭酸入浴錠剤Ｔは、直列に収容されてもよいし、並列に収容されてもよい。
尚また、２以上の炭酸入浴錠剤Ｔを収容可能な構成とする場合には、錠剤収容部１１に複数の錠剤Ｔを直接収容してもよいし、錠剤収容部１１に収容可能なホルダを別途設け、このホルダに複数の錠剤Ｔを収容し、ホルダを錠剤収容部１１に収容する構成としてもよい。
【００６６】
錠剤収容部１１には、炭酸入浴錠剤Ｔを縦収容方向に固定するため、錠剤支持部１２が設けられる。図２〜図４は、錠剤支持部１２の構成例を示す概略構成図であり、図中左列には側面から観察した場合における概略構成図を、右列には左図についての概略断面図をそれぞれ表す。
【００６７】
錠剤支持部１２は、例えば、図２に示されるように、通水方向Ｗに沿って形成された一対の棒状体によって設けることができる。この一対の棒状体によって、炭酸入浴錠剤Ｔを挟持することで、炭酸入浴錠剤Ｔを縦収容方向に支持及び固定することができる。
【００６８】
また、例えば、図３に示されるように、通水方向Ｗに沿って形成された一対の壁状体によって設けることができる。同じく、この一対の壁状体の間に、炭酸入浴錠剤Ｔを配置することで、炭酸入浴錠剤Ｔを縦収容方向に支持及び固定することができる。
【００６９】
更にまた、錠剤支持部１２は、例えば、図４に示されるように、後述する通水制限板１３の一部に、炭酸入浴錠剤の一部が嵌入される凹部１３Ｃを形成することで設けることもできる。この場合、通水制限板１３は炭酸入浴錠剤Ｔを挟む状態で導入口１７側及び吐出口１８側の両方に設けられ、両方の又は一方の通水制限板１３に設けられた凹部１３Ｃに
炭酸入浴錠剤Ｔを嵌入させ、かつ通水制限板１３で炭酸入浴錠剤Ｔを挟持することで、炭酸入浴錠剤Ｔを縦収容方向に支持及び固定することができる。凹部１３Ｃは、導入口側通水制限板１３Ａ又は吐出口側通水制限板１３Ｂのいずれか一方に設けてもよいし、両方に設けてもよい。
【００７０】
通水制限板１３に設けられた凹部１３Ｃは、図２又は図３に示される棒状体又は壁状体と共に錠剤支持部１２を構成してもよいし、単独で錠剤支持部１２を構成してもよい。
【００７１】
マイクロバブル発生器１には、炭酸入浴錠剤Ｔの収容位置の上流側又は下流側、即ち湯水の導入口１７側又は吐出口１８側のいずれか一方又は両方に、炭酸入浴錠剤Ｔに接触する水量を減じるための通水制限板１３が設けられる。ここで、湯水の導入口側１７に設けられた通水制限板を導入口側通水制限板１３Ａといい、湯水の吐出口１８側に設けられた通水制限板を吐出口側通水制限板１３Ｂという。また、本考案において、単に通水制限板１３と記載した場合は、特に断りが無い限り、導入口側通水制限板１３Ａ又は吐出口側通水制限板１３Ｂの両方又はいずれか一方を指し示すこととする。
通水制限板１３は、湯水が通過可能な隔壁構成であり、例えば、複数の通水孔が設けられた開孔板やメッシュ体の如き網状体によって形成することができる。
【００７２】
通水制限板１３が、湯水の導入口１７側又は吐出口１８側のいずれか一方に設けられる場合は、導入口１７側のみに導入口側通水制限板１３Ａが設けられることが好ましい。この場合、通水路を流れる湯水は、導入口１７側から流れるので、導入口１７側からの水圧が強く、この水圧を導入口側通水制限板１３Ａによって制限することで、炭酸入浴錠剤Ｔの溶解速度を緩慢にさせ、該錠剤Ｔを長持ちさせる効果を得ることができる。
【００７３】
通水制限板１３は、炭酸入浴錠剤Ｔの移動を制限する役割も果たし、湯水の導入口１７側及び吐出口１８側の両方に通水制限板１３が設けられた構成によれば、これらの導入口側通水制限板１３Ａ及び吐出口側通水制限板１３Ｂに炭酸入浴錠剤Ｔが挟まれて収容される態様となり、該錠剤Ｔが水流によって流出することを防ぎ、炭酸入浴錠剤収容部１１に止まらせることができる。
【００７４】
図１に示されるように、通水制限板１３が、湯水の導入口１７側及び吐出口１８側の両側に設けられる場合には、炭酸入浴錠剤Ｔを囲い込む構成を採用することができる。また、前記したように、通水制限板１３に凹部１３Ｃを設けることで、炭酸入浴錠剤Ｔを縦収容方向に支持・固定することができる。
【００７５】
通水制限板１３は、通過可能な水量が異なるものを複数用意し、炭酸入浴錠剤Ｔの溶解速度を調整するため、これらを選択して取り替えることができる。即ち、炭酸入浴錠剤Ｔの溶解速度を早くしたい場合には、通過可能な水量が多い通水制限板１３を使用し、反対に、炭酸入浴錠剤Ｔの溶解速度を遅くしたい場合には、通過可能な水量が少ない通水孔を有する通水制限板１３を使用することができる。
【００７６】
通水制限板１３を、複数の通水孔１３Ｄが設けられた開孔板によって形成する場合には、通水孔１３Ｄの大きさと数量を変えることによって、通過可能な水量を変更することができる。また、通水制限板１３を、メッシュ体の如き網状体によって形成する場合には、網の粗密を変えることによって、通過可能な水量を変更することができる。
【００７７】
また、炭酸入浴錠剤Ｔの溶解速度を変える手段として、上記のように、通過可能な水量が異なる通水制限板１３に交換する手段の他、通過可能な水量を変化させることができる通水制限板１３を使用する手段を採用することもできる。例えば、通水孔１３Ｄの大きさと数量が異なる２枚の開孔板を重ね合わせて一の通水制限板１３を形成し、この２枚の開
孔板の一方又は両方を回転させて、湯水が通過可能な通水孔１３Ｄの大きさや数量を調整することで開孔率を変更し、通水制限板１３を通過可能な水量を変化させる手段を挙げることができる。
【００７８】
通水制限板１３は、炭酸ガスマイクロバブル発生器１から取り外して使用することが可能である。例えば、シャワーを短時間で浴びなければならない場合、通水制限板１３を取り外してシャワー吐出することで、炭酸入浴錠剤Ｔの溶解速度を速め、短時間で溶解するようにしてもよい。この場合、シャワー吐出される炭酸ガスマイクロバブル混合水の炭酸濃度が高く、短時間で十分な血行促進等の効果を得ることができる。
【００７９】
マイクロバブル発生器１、特に錠剤収容部１１を透明合成樹脂材等の透明性を有する材料で形成することにより、該錠剤支持部１１に収容される炭酸入浴錠剤Ｔが、マイクロバブル発生器１の外部から目視可能な構成とすることもできる。かかる構成によれば、マイクロバブル発生器１に収容された炭酸入浴錠剤Ｔの有無や溶解の程度を、外部から容易に把握することができる。
【００８０】
図１に示される実施例では、錠剤収容部１１の導入口１７側端部に、接続部１４が設けられた構成である。この接続部１４を取り外すことで、導入口側通水制限板１３Ａを取り外し、炭酸入浴錠剤Ｔを出し入れすることができる構成である。図１に示される実施例では、この接続部１４が設けられることによって、マイクロバブル発生器１が開閉機構を有することになる。
【００８１】
接続部１４の他端には、ホース接続部１５が設けられ、これを介してマイクロバブル発生器１とホース３と接続することができる。尚、ホース３の端部には、接続具３１を設けて、ホース接続部１５と接続し易くしてもよい。尚また、ホース接続部１５と、ホース３の端部又はこれに取り付けられた接続具３１とが、サイズ（径）が合わない場合には、アジャスター（図示しない）を介在させてもよい。
【００８２】
接続部１４の形態に限定はないが、錠剤収容部１１と接続部１４のと接続は、強い水圧が加えられたとしても離脱することがないように、螺合又は嵌合によるものが好ましく、他にロック機構等を設けることもできる。
また、ホース接続部１５の形態にも限定はないが、シャワー機器２に接続されるホース３の接続部分は、所定の規格に基づいた螺子等で形成されていることが多く、これに対応する螺子等の形態であることが好ましい。
【００８３】
マイクロバブル発生器１に接続されるシャワー機器２は、シャワー機器として公知公用のものを特別の制限なく採用することができる。例えば、シャワーヘッド部とシャワー胴部とが、一体的に形成された一体型構成であってもよいし、別体で形成されたものを一体となるように接続或いは結合したものでもよいし、シャワーヘッド部がシャワー胴部に対して向きや角度を変えられるように直接又は間接的に接続されたものであってもよい。また、シャワー機器２は、シャワー胴部を有さない構成であってもよく、シャワーヘッド部のみで構成された態様であってもよい。
尚、シャワー機器２は、例えば美容院等で用いられているシャワー機器のように、シャワー吐出とストレート吐出その他の吐出手段を切り替えできるものや、シャワー吐出以外の吐出手段のものであってもよい。
【００８４】
また、マイクロバブル発生器１に接続されるホース３は、シャワー機器に接続されるホースとして公知公用のものを特別の制限なく採用することができる。
【００８５】
マイクロバブル発生器１には、シャワー機器２と接続するためのシャワー接続部１６を
設けることができる。
図１に示す実施例においては、シャワー接続部１６は、マイクロバブル発生器１の吐出口１８側の端部に設けられる。シャワー接続部１６の形状に限定はないが、一般的なシャワー機器にはホースと接続するために螺子が切ってあり、これに対応する形状とすることが好ましい。また、接続されるシャワー機器２とサイズ（径）が合わない場合には、サイズの相違を調整するためのアジャスター（図示しない）を介在させてもよい。
シャワー接続部１６の形態にも限定はないが、シャワー機器２のホース３との接続部分は、所定の規格に基づいた螺子等で形成されていることが多く、これに対応する螺子等の形態であることが好ましい。
【００８６】
マイクロバブル発生器１を構成する各部材の結合箇所には、必要に応じてパッキング等の止水部材が設けられ、通水路から外部に湯水が漏れ出すことを防止することができる。特に、シャワー機器２と錠剤収容部１１（又はシャワー接続部１６）との結合箇所、錠剤収容部１１と接続部１４との結合箇所、又はホース接続部１５とホース３（又は接続具３１）との結合箇所など、脱着が可能な結合箇所については、止水部材が設けられることが好ましい。
【００８７】
本考案に用いる炭酸入浴錠剤は、重炭酸塩と有機酸からなりポリエチレングリコールの存在下に圧縮成形され、直径が１５ｍｍ以上で、厚みが直径より薄肉であり、硬度が１５ｋｇｆ又は１５ＨＶ以上、水に溶解した場合のＰＨが５．５から８．５であることが好ましい。この条件の炭酸入浴錠剤を用いることにより、炭酸ガス成分の発生がミクロサイズでかつシャワーの使用時間程度の長時間溶解が持続し、かつ発生した炭酸成分は体への接触で十分に経皮吸収されやすいイオン状態にすることができ、入浴ではないシャワーであっても十分血行促進等の健康増進効果の向上が得ることができる。
【００８８】
本考案のこの効果は、重炭酸塩に対する、ポリエチレングリコール（ＰＥＧ）の量及び有機酸の量を規定し、それぞれを一定比率内の条件で混合し、圧縮成型をして錠剤を作る際、錠剤の直径を１５ｍｍ以上とし、厚みが直径より薄肉であり、硬度を１５ｋｇｆ又は１５ＨＶ以上の高い硬度に作成し、溶解後のＰＨを５．５から８．５にすることで、効果が最大に発揮される。
【００８９】
なお、本考案において使用される無水物は、好ましくは無水炭酸ナトリウム、無水炭酸カリウムから選ばれる。重炭酸塩量の１／１０〜１／１００量だけ使用すること、特に１／１０〜１／５０量だけ使用することにより、本考案の効果を好ましく発揮できた。特に効果を最大に発揮する無水物としては無水炭酸ナトリウムが挙げられる。
【００９０】
更に、打錠のための滑沢剤を添加することができ、重炭酸塩造粒物Ａにクエン酸と無水物を加え、さらにポリエチレングリコールを加えて混合し、さらに離型剤を使用することができるが、この離型剤としては、一般的にショ糖やステアリン酸マグネシウムなどほとんどの場合が不溶解性物質が使われていた。これら溶解しない離型剤は温泉の濁り感を出すためにも積極的に使われていたが、マイクロバブル発生をシャワーヘッドで行わせる場合はシャワーの細孔が目詰まりし好ましくない現象を引き起こす。本考案では特に好ましい化合物としてｎ−（ノルマル）オクタンスルフォン酸ナトリウムやラウリルスルフォン酸ナトリウム、ラウロイルサルコシン酸ナトリウム、ミリストイルメチルアラニンナトリウムなどから選ばれる１種を含むことで、本考案に係る錠剤を完全溶解させ透明なシャワー水を得ることができ、シャワーヘッドの目詰まりもなく、日常の清掃が簡単にでき、錠剤の製造においても長期に安定的に連続打錠が可能で、かつ高速に圧縮成型でき好ましい。また、本考案に係る錠剤が湯水に溶解された際、ミクロサイズの発泡を行わせ、溶解後のこの湯水の洗浄効果など維持する上でも最も好ましい離型剤として用いられる。
【００９１】
錠剤を作製する圧縮成形には、公知の圧縮成形機を特別の制限なく使用でき、例えば、油圧プレス機、単発式打錠機、ロータリー式打錠機、ブリケッティングマシンなどを用いることができる。この打錠機などに用いる杵の大きさは、杵が円形である場合は直径が１５ｍｍ以上であることが好ましく、杵が三角形や四角形の場合、円形杵に換算して一辺の長さが１５ｍｍ以上となるものが好ましい。そして杵の厚みについても同様である。円形の打錠品を得る場合、錠剤の直径は１５ｍｍ以上とされ、厚みが直径より薄肉とされることが好ましく、三角形や四角形等の錠剤とされる場合、円形錠剤に換算して、一辺の長さが１５ｍｍ以上であって、厚みが直径より薄肉、とされる。
【００９２】
上記のように、錠剤は必ずしも平面を持つ円形でなくてもよく、一辺の長さが１５ｍｍ以上の固形物で、好ましくは硬度が１５ｋｇｆ又は１５ＨＶ以上であれば、楕円形でもタブレットでも球体でも、錠剤の範疇であれば形は何ら制限されない。
【００９３】
堅い固体中でミクロサイズの発泡をゆっくり起こし、液中への炭酸ガスの溶解がより効率的に行われれば、どのような形状でもよく、特に好ましい硬度は２５ｋｇｆ以上であり、硬度は高いほど錠剤中での炭酸ガスの発生により浴中への炭酸ガスが溶解しやすくなり、泡の径などが細かくなっていることが推定され、好ましい結果を生じる。
【００９４】
本考案における硬度は、岡田精工社製デジタル錠剤硬度計ニュー・スピード・チェッカーＴＳ７５Ｎを用いて測定した値［ｋｇｆ］を基準とする。原則として、これを４回測定し、その平均値を採用する。
また、本考案における硬度は、硬さ試験機の１つである、マイクロビッカース硬さ試験機ミツトヨＨＭ−２２１を用いて測定した値［ＨＶ］を基準としてもよい。原則として、これを４回測定し、その平均値を採用する。
【００９５】
本考案の炭酸入浴錠剤として、着色成分及び／又は芳香成分を含有する構成とすることもできる。かかる構成によれば、シャワー吐出される湯水に炭酸ガス成分が混合している状態を利用者が容易に把握実感することが可能となる。即ち、着色成分を含有させた構成によれば、シャワー吐出される湯水が溶解した着色成分によって着色されることにより炭酸入浴錠剤が溶解していることがわかり、芳香成分を含有させた構成によれば、シャワー吐出される湯水が溶解した芳香成分によって芳香を放つことにより炭酸入浴錠剤が溶解していることがわかり、湯水が透明になるか、無香になることによって、炭酸入浴錠剤が全て溶解して無くなったことを把握することができる。従って、新規の炭酸入浴錠剤の収容時期が容易にわかるだけでなく、湯水の着色及び／又は芳香によって、炭酸ガス成分が湯水に混合している状態であることを五感によって認識することができる。
【００９６】
炭酸入浴錠剤に含有することのできる着色成分としては、入浴剤に用いられる公知公用の天然又は合成の着色剤・着色料を特別の制限なく用いることができる。
また、炭酸入浴錠剤に含有することのできる芳香成分としては、入浴剤や洗顔料・石鹸等に用いられる公知公用の天然又は合成の芳香剤・香料を特別の制限なく用いることができる。
【００９７】
特に、炭酸入浴錠剤に着色成分を含有する構成とした態様では、前述したタブレット収容部を透明性を有する材料で形成した構成や、シャワーヘッド部及び／又はシャワー胴部の少なくとも一部とその内部の通水路を構成する部材の少なくとも一部を透明性を有する材料で形成した構成と併用することにより、炭酸入浴錠剤の有無や溶解の程度を更に容易に把握することができる。
【００９８】
＜実施例＞
図１に、本考案に係るマイクロバブル発生器１の具体的な実施例の分解斜視図を示す。
この実施例に係るマイクロバブル発生器１は、炭酸入浴錠剤収容部１１、錠剤支持部１２、通水制限板１３Ａ・１３Ｂ、接続部１４から構成され、シャワー機器２とホース３との間に配設された例である。
【００９９】
錠剤収容部１１は、吐出口１８側の端部が、シャワー機器２の端部と結合される。結合手段に限定はないが、螺合や嵌合といった公知公用の結合手段を採用することができ、シャワー接続部１６は、結合手段に対応した形状に成形される。
【０１００】
錠剤収容部１１は、透明性を有する材料によって形成されており、収容される炭酸入浴錠剤Ｔ等が外部から目視可能な構成である。
錠剤収容部１１の側周面の一部には、第１係合部１１Ａが設けられ、後述する接続部１４に設けられた第１被係合部と嵌合し、これを３６０度以内の回転を加えて捻ることで係合される。
【０１０１】
通水制限板１３は、錠剤収容部１１の導入口１７側には導入口側通水制限板１３Ａが配置され、吐出口１８側には吐出口側通水制限板１３Ｂが配置される。
【０１０２】
図１に示されるように、導入口側通水制限板１３Ａは、接続部１４に内包されるように設けられ、マイクロバブル発生器１を構成する各部が組み立てられた状態において、錠剤収容部１１の導入口１７側の端部に配設される。
【０１０３】
図５に、導入口側通水制限板１３Ａをシャワー機器２側から観察した概略平面図を示す。導入口側通水制限板１３Ａは、平面視円形であって、その中央部に複数個からなる通水孔１３Ｄが設けられ、外形の周縁には、切り欠きによって外側通水孔１３Ｅが設けられる。通水孔１３Ｄ及び外側通水孔１３Ｅについては、後に詳述する。
【０１０４】
吐出口側通水制限板１３Ｂは、錠剤収容部１１の吐出口１８側の端部に配設される。
図６の左側に、吐出口側通水制限板１３Ｂを導入口１７側から観察した概略平面図を示す。また、図６の右側に、吐出口側通水制限板１３Ｂをシャワー胴部１２の側面方向から観察した概略側面図を示す。
吐出口側通水制限板１３Ｂは、上下辺が曲線の平面視矩形であって、複数個からなる通水孔１３Ｄが設けられる。また、図６に示されるように、吐出口側通水制限板１３Ｂには、錠剤支持部１２と、係合部２３Ｆが設けられる。
【０１０５】
錠剤支持部１２は、対をなす２枚の壁状体であって、この一対の壁状体が通水方向Ｗに沿って相対向して形成される。炭酸入浴錠剤Ｔが、錠剤収容部１１に収容される場合には、この一対の壁状体に炭酸入浴錠剤Ｔが挟持される態様となる。
【０１０６】
第２係合部１３Ｆは、錠剤収容部１１に設けられた第２被係合部（図示しない）に係合され、吐出口側通水制限板１３Ｂが、錠剤収容部１１の吐出口１８側の端部に位置するよう固定するための部位である。
第２係合部１３Ｆは、円筒状の小突起であり、この小突起に対応する径に形成された凹状又は開孔状の第２被係合部（図示しない）と係合される。尚、本考案において、第２係合部１３Ｆと第２被係合部の形態は上記構成に限定されず、係合手段として公知公用の技術を特別の制限なく採用することができる。
【０１０７】
ここで、導入口側通水制限板１３Ａに設けられた通水孔１３Ｄ及び外側通水孔１３Ｅについての説明に戻る。
通水孔１３Ｄは、前記した錠剤支持部１２を形成する一対の壁状体の内側を通過する湯水を通すための開孔である。詳述すれば、吐出口１８側から通水方向Ｗと平行する方向に
向かって観察した場合において、通水孔１３Ｄは、錠剤支持部１２を形成する一対の壁状体の内側の位置に設けられる。
【０１０８】
外側通水孔１３Ｅは、前記した錠剤支持部１２を形成する一対の壁状体の外側を通過する湯水を通すための開孔である。これを詳述すれば、吐出口１８側から通水方向と平行する方向に向かって観察した場合において、外側通水孔１３Ｅは、錠剤支持部１２を形成する一対の壁状体の外側の位置に設けられる。
【０１０９】
上記のような構成を採ることによって、通水孔１３Ｄを通過した比較的少量の湯水が、一対の壁状体の内側に収容される錠剤Ｔに接し、他方、外側通水孔１３Ｅを通過した比較的多量の湯水は、一対の壁状体の外側を通過して錠剤Ｔには触れないので、錠剤Ｔに接する水量を制限しつつ、マイクロバブル発生器１全体を通過可能な水量を維持することができる。
【０１１０】
接続部１４は、フランジ状の形状に形成され、錠剤収容部１１とホース３とを接続するために設けられ、ホース３とは、ホース接続部１５や接続具３１を介して、螺合によって接続される。
接続部１４の内周には、Ｌ字状の溝によって第１被係合部２４Ａが形成され、錠剤収容部１１に設けられた第１係合部１１Ａとの間で係合され、接続部１４と錠剤収容部１１とが接続される。
【０１１１】
第１係合部１１Ａと第１被係合部２４Ａとの接続手段について、図７に基づいて説明する。第１係合部１１Ａと第１被係合部２４Ａは、第１係合部１１Ａが、第１被係合部２４Ａにシャワー胴部１２の長手方向から進入し、突き当たった後、周回方向に僅か（３６０度以内）に捻られることによって接続される。このように、僅かな捻り動作を加えることで、容易に接続することができ、また反対の動作をすれば、容易に接続を解除することができる。
尚、接続部１４の外周には、滑り止めとして複数の突条片が設けられる。
【符号の説明】
【０１１２】
１  炭酸ガスマイクロバブル発生器
１１  炭酸入浴錠剤収容部
１１Ａ  第１係合部
１２  錠剤支持部
１３  通水制限板
１３Ａ  導入口側通水制限板
１３Ｂ  吐出口側通水制限板
１３Ｃ  凹部
１３Ｄ  通水孔
１３Ｅ  外側通水孔
１３Ｆ  第２係合部
１４  接続部
１４Ａ  第１被係合部
１５  ホース接続部
１６  シャワー接続部
１７  導入口
１８  吐出口
２  シャワー機器
３  ホース
３１  接続具
Ｔ  炭酸入浴錠剤
Ｗ  通水方向
【図１】
0003190347.tif 000003
【図２】
0003190347.tif 000004
【図３】
0003190347.tif 000005
【図４】
0003190347.tif 000006
【図５】
0003190347.tif 000007
【図６】
0003190347.tif 000008
【図７】
0003190347.tif 000009